(57)【要約】【課題】例えば浄水場の天日乾燥床から固化された汚泥を回収する手段として利用するために適した汚泥回収具を提供する。【解決手段】上面を開放し、側面及び底面が通水性を備えた箱体である汚泥回収具１において、方形上枠２及び方形下枠３の角部を縦枠４により連結して箱体を構成し、側面は、方形上枠２、方形下枠３又は縦枠４から選択された２辺に縦桟５を架け渡し、前記縦桟５間に形成される隙間52により通水性を確保した汚泥回収具１である。【選択図】図１
2010188314.tif 000002
【特許請求の範囲】
【請求項１】
上面を開放し、側面及び底面が通水性を備えた箱体である汚泥回収具において、
方形上枠及び方形下枠の角部を縦枠により連結して箱体を構成し、
側面は、方形上枠、方形下枠又は縦枠から選択された２辺に縦桟又は横桟のいずれか一方又は双方を架け渡し、前記縦桟又は横桟間に形成される隙間により通水性を確保したことを特徴とする汚泥回収具。
【請求項２】
底面は、方形下枠に網体を張って通水性を確保した請求項１記載の汚泥回収具。
【請求項３】
底面は、方形下枠に軸着され、下方に向けて開閉自在な開閉枠に網体を張って通水性を確保した請求項１記載の汚泥回収具。
【請求項４】
縦桟は、鉛直方向に対して斜行して、方形上枠、方形下枠又は縦枠から選択された２辺に架け渡される請求項１〜３いずれか記載の汚泥回収具。
【請求項５】
横桟は、水平方向に対して斜行して、方形上枠、方形下枠又は縦枠から選択された２辺に架け渡される請求項１〜３いずれか記載の汚泥回収具。
【請求項６】
方形上枠、方形下枠及び縦枠は、平板を側面と平行にし、前記平板の外面を側面と面一にして組み付けて箱体を構成する請求項１〜５いずれか記載の汚泥回収具。
【請求項７】
縦桟又は横桟は、平板の外面を側面と平行にし、前記平板の外面を側面と面一にして、方形上枠、方形下枠又は縦枠から選択された２辺に架け渡す構成とする請求項１〜６いずれか記載の汚泥回収具。
【請求項８】
平板は、先端縁を側面と面一にして縁部を断面鋭角にする請求項６又は７いずれか記載の汚泥回収具。
【発明の詳細な説明】
【技術分野】
【０００１】
本発明は、例えば浄水場の天日乾燥床から固化された汚泥を回収する手段として利用するために適した汚泥回収具に関する。
【背景技術】
【０００２】
浄水場は、初めに沈殿池において、取水された原水中の有機物等の浮遊物質を薬品により沈殿させ、上層の上澄み水と下層の汚泥を含む汚水とに分離し、上澄み水のみを浄水施設に移す。汚泥を含む汚水は、汚泥を含んだまま放流すると水質汚染の問題が生ずる。このため、まず濃縮槽で濃縮し、そして天日乾燥床で濾過して汚泥を取り除いた浄化水にした後、放流する。濾過により汚水から分離された汚泥は、天日乾燥床で天日乾燥されて固化することにより減容され、掻き出されて回収された後、産業廃棄物として処分される。同様な汚泥の処分は、例えば汚泥を含む汚水が発生する工事現場でも見られる。
【０００３】
天日乾燥床は、例えば直方体のコンクリート槽から構成され、底面から排水層、濾過層が順に積層されている。排水層は、排水路に接続された空間である。濾過層は、通水性を備えたコンクリート版（例えば多数の通水孔を設けてある）に濾過砂を敷き詰めて構成される。天日乾燥床に投入された汚泥を含む汚水は、濾過層により濾過されて浄化水となり、前記浄化水のみが排水層から排水路へ排水されていく。汚泥は、濾過層表面の濾過砂上に堆積され、天日乾燥により固化された後に掻き出され、回収されていた。この固化された汚泥の回収は、頻度が少ないことから、専ら作業者の手作業によっていた。
【０００４】
ここで、浄水場の天日乾燥床から固化された汚泥を回収する手段ではないが、同様に汚水中の固形物を効率よく回収する手段として、例えば特許文献１又は特許文献２に見られる汚泥回収具（特許文献１における上部開口容器、特許文献２における煤取出かご）が開示されていることから、こうした汚泥回収具を浄水場の天日乾燥床から固化された汚泥を回収する手段として利用することが考えられる。具体的には、濾過層表面の濾過砂上に多数の汚泥回収具を並べ、各汚泥回収具の中で汚泥を固化させて、汚泥回収具毎に引き上げて、汚泥を回収するわけである。
【０００５】
特許文献１は、汚濁水の流入口及び浄化水の流出口を備えた槽（天日乾燥床に相当）の底部に、液流入用弁を底面部に配設した汚泥回収具（上部開口容器）を設置する汚濁水の浄化装置を開示している。上部開口容器の底面部に配設された流入用弁は、前記上部開口容器を槽に沈める際の水抜き孔である。また、特許文献２は、分離装置本体に設けた分離室（天日乾燥床に相当）に、金網を取り付けた汚泥回収具（煤取出かご）を配置した煤洗浄装置における洗浄排液の固液分離装置を開示している。排水は、汚泥回収具の金網を通じて流れ出ていくが、煤（汚泥に相当）は金網に囚われて汚泥回収具に堆積し、汚泥回収具と共に回収される。
【先行技術文献】
【特許文献】
【０００６】
【特許文献１】実開昭51-012455号公報
【特許文献２】実開昭58-053207号公報
【発明の概要】
【発明が解決しようとする課題】
【０００７】
特許文献１又は特許文献２が開示する汚泥回収具を、浄水場の天日乾燥床から固化された汚泥を回収する手段として利用するには、なお解決すべき課題がある。汚泥回収具は、固化した汚泥を保持するため、側面及び底面を完全に開放できないものの、底面は濾過層を通じて汚水を濾過するため、また側面は隣り合う汚泥回収具相互に汚水を行き渡らせるため、それぞれ通水性が必要となる。ここで、特許文献２を参考に、汚泥回収具の側面及び底面を金網にすることが考えられるが、隣り合う汚泥回収具それぞれの中で固化した汚泥は前記金網を挟んで相互に密着し、汚泥回収具毎に引き上げることは困難になる。
【０００８】
このように、特許文献１又は特許文献２が開示する汚泥回収具は、浄水場の天日乾燥床から固化された汚泥を回収する手段として利用可能と考えられるものの、通水性を有する側面を金網で構成することは好ましくなく、金網以外で通水性を確保する必要がある。この点、特許文献１又は特許文献２に明示又は示唆がなく、また同種先行技術を見ても、特に金網以外の開示が見られない。これは、同種先行技術が、浄水場の天日乾燥床から固化された汚泥を回収する手段として汚泥回収具を利用するという視点がなかったことに起因する。そこで、浄水場の天日乾燥床から固化された汚泥を回収する手段として利用するために適した汚泥回収具を開発するため、検討した。
【課題を解決するための手段】
【０００９】
検討の結果開発したものが、上面を開放し、側面及び底面が通水性を備えた箱体である汚泥回収具において、方形上枠及び方形下枠の角部を縦枠により連結して箱体を構成し、側面は、方形上枠、方形下枠又は縦枠から選択された２辺に縦桟又は横桟のいずれか一方又は双方を架け渡し、前記縦桟又は横桟間に形成される隙間により通水性を確保した汚泥回収具である。本発明の汚泥回収具は、上述した天日乾燥床のほか、汚泥を含む汚水が発生する工事現場の汚水処理槽に利用される。例えば浄水場の天日乾燥床の場合、互いの側面を密着させた多数の汚泥回収具を濾過砂上に敷き詰め、上面から投入される汚水を、通水性のある側面を通じて全汚泥回収具に行き渡らせ、天日乾燥により固化された汚泥を、汚泥回収具毎に引き上げて回収する。
【００１０】
本発明の汚泥回収具は、方形上枠及び方形下枠の角部を縦枠により連結して箱体を構成する。本発明に言う「方形」は、四角形を意味し、正方形はもちろん、長方形を含む。また、前記箱体は、方形上枠の下縁と方形下枠の上縁とを縦枠で結ぶ構成はもちろん、縦枠上端を平面視方形に結んで方形上枠とし、かつ縦枠下端を平面視方形に結んで方形下枠とする構成を含む。こうした箱体からなる本発明の汚泥回収具は、方形上枠、方形下枠及び縦枠それぞれの剛性を高めることに加え、前記方形上枠、方形下枠及び縦枠相互の組付剛性を高めることにより、箱体全体の剛性を高めやすくなる。このため、方形上枠、方形下枠及び縦枠は金属製部材から構成することが望ましいが、十分な剛性を確保できるのであれば、樹脂製部材から構成してもよい。また、本発明の汚泥回収具は、金網に代えて、方形上枠、方形下枠又は縦枠から選択された２辺に縦桟又は横桟のいずれか一方又は双方を架け渡し、前記縦桟又は横桟間に形成される隙間により側面の通水性を確保する。縦桟又は横桟も、剛性を確保する観点から金属製部材が好ましいが、前記同様の理由から、樹脂製部材により構成してもよい。縦桟又は横桟間の隙間により通水性を確保する側面は、金網により通水性を確保する側面に比べ、隣り合う汚泥回収具それぞれの中で固化した汚泥相互が密着する面積（縦桟又は横桟間の隙間の面積）を低減し、汚泥回収具毎に引き上げやすくする。そして、引き上げる汚泥回収具を隣り合う汚泥回収具に対して傾けると、縦桟又は横桟相互が密着した汚泥を剪断し、汚泥回収具毎に引き上げやすくする。
【００１１】
縦桟は、方形上枠及び方形下枠の対向する上下２辺に鉛直方向を向けて架け渡す構成を基本とし、鉛直方向に斜行させた場合（後述参照）、角部に近い縦桟は、方形上枠及び縦枠に架け渡す、又は方形下枠及び縦枠に架け渡す。縦枠は、各側面における左右端の縦桟に相当する。横桟は、対向する縦枠（２辺）に水平方向を向けて架け渡す構成を基本とし、水平方向に斜行させた場合（後述参照）、角部に近い横桟は、方形上枠及び縦枠に架け渡す、又は方形下枠及び縦枠に架け渡す。方形上枠及び方形下枠の対向する上下２辺は、各側面における上下端の横桟に相当する。縦桟及び横桟を組み合わせる場合、十字に交わる格子桟となる。縦桟又は横桟は、同幅、等間隔かつ同じ傾きで架け渡すことを基本とするが、幅が異なったり、間隔が不等間隔であったり、各縦桟の傾きが異なったりしても構わない。縦桟又は横桟の幅を大きくすると、相対的に縦桟又は横桟の隙間が狭くなり、汚泥相互が密着する面積を小さくできる。
【００１２】
底面は、側面同様、方形下枠に横桟を架け渡して構成してもよいが、側面と違って汚泥が密着することによる問題がなく、むしろ濾過砂に対する排水を妨げないようにするため、方形下枠に網体を張って通水性を確保する、又は方形下枠に軸着され、下方に向けて開閉自在な開閉枠に網体を張って通水性を確保するとよい。開閉枠も、剛性を確保する観点から金属製部材が好ましいが、上記同様の理由から、樹脂製部材により構成してもよい。網体は、金属製部材（すなわち金網）でもよいし、防錆の観点から樹脂製部材でもよい。方形下枠に網体を張った場合、引き上げた汚泥回収具をひっくり返して、下方に向けた上面から固化した汚泥を取り出すことになる。これに対し、開閉自在な開閉枠に網体を張った場合、底面を構成する前記開閉枠を開くことにより、底面から固化した汚泥を取り出すことができる。開閉枠は、方形下枠に等しい１枚扉又は２枚扉（観音扉）を例示できる。また、方形下枠に対する開閉枠の閉鎖状態の維持は、例えば方形下枠に対する楔又は観音扉の一方から他方に対するピン又は楔を用いるとよい。これらの開閉枠は、前記ピン又は楔を外すと固化した汚泥の重みで開閉枠を押し開くことができる。
【００１３】
ここで、例えば天日乾燥床の濾過砂上に汚泥回収具を敷き詰めた場合、最初に引き上げる汚泥回収具は隣り合う汚泥回収具に対して傾けることができない。そこで、汚泥回収具を真直ぐに引き上げながら汚泥を剪断するため、縦桟は、鉛直方向に対して斜行し、方形上枠、方形下枠又は縦枠から選択された２辺に架け渡され、また横桟は水平方向に対して斜行し、方形上枠、方形下枠又は縦枠から選択された２辺に架け渡される構成とする。縦桟は、鉛直方向に対して０度以上45度以下の範囲で斜行する桟、横桟は、水平方向に対して０度以上45度未満の範囲で斜行する桟である。鉛直方向に対して45度斜行した桟と水平方向に対して45度斜行した桟とは実質同一であるが、便宜上縦桟に含める。鉛直方向に対して斜行する縦桟又は水平方向に対して斜行する横桟は、隣り合う汚泥回収具の一方を引き上げることにより、鋏の刃のように交差して、汚泥を剪断する。
【００１４】
また、上述のように、浄水場の天日乾燥床の濾過砂上に汚泥回収具を敷き詰めた場合、汚泥回収具相互の側面が離れていると、前記側面間の隙間に汚泥が残存し、回収できなくなる。そこで、汚泥回収具は密着させて敷き詰めることができるように、それぞれの側面を凸凹させないことが望ましい。これから、方形上枠、方形下枠及び縦枠は、平板を側面と平行にし、前記平板の外面を側面と面一にして組み付けて箱体を構成するとよい。縦枠は、隣り合う側面が交差する角部に配されることから、平板が直交する構成、すなわちアングル材を用いるとよい。こうした平板から構成される方形上枠、方形下枠及び縦枠は、隣り合う汚泥回収具相互で擦れ合うようになるから、方形上枠、方形下枠及び縦枠でも汚泥が剪断されるようになる。
【００１５】
平板である方形上枠、方形下枠及び縦枠から箱体を構成した場合、縦桟又は横桟は、前記各平板の外面からはみ出さずに架け渡すことにより、側面を凸凹させないようにできる。こうした縦桟又は横桟は、平板の外面を側面と平行にし、前記平板の外面を側面と面一にして、方形上枠、方形下枠又は縦枠から選択された２辺に架け渡す構成を例示できる。こうした平板から構成される縦桟又は横桟は、隣り合う汚泥回収具相互で擦れ合うから、汚泥がよりよく剪断されるようになる。また、平板から構成される方形上枠、方形下枠及び縦枠から箱体を構成し、同様な平板から構成される縦桟又は横桟を架け渡して側面を構成した汚泥回収具にすることにより、例えば浄水場の天日乾燥床の濾過砂上に汚泥回収具相互を密着させて敷き詰め、固化された汚泥が回収できない汚泥回収具の側面間の隙間をなくすことができる。
【００１６】
平板から構成される方形上枠、方形下枠及び縦枠から箱体を構成し、同様な平板から構成される縦桟又は横桟を架け渡して側面を構成した汚泥回収具は、既述したように、縦桟又は横桟だけでなく、方形上枠、方形下枠及び縦枠でも汚泥が剪断される。ここで、前記平板から構成される方形上枠、方形下枠、縦枠、縦桟又は横桟による汚泥の剪断を容易にするため、方形上枠、方形下枠、縦枠、縦桟又は横桟を構成する平板は、先端縁を側面と面一にして縁部を断面鋭角にするとよい。先端縁とは、断面鋭角にした平板の縁部の稜線を意味する。例えば縦桟の場合、縦桟を構成する平板は、外面を側面と面一したまま、平板の内面から縁部を面取した構造となる。これは、方形上枠、方形下枠、縦枠又は横桟も同様である。
【発明の効果】
【００１７】
本発明は、特許文献１又は特許文献２が開示する汚泥回収具を、例えば浄水場の天日乾燥床から固化された汚泥を回収する手段として利用できるようにする。これは、側面に多数の縦桟又は横桟を架け渡し、前記縦桟又は横桟間の隙間を多数形成したことにより、側面を金網で構成する場合に比べ、隣り合う汚泥回収具それぞれの中で固化した汚泥が相互に密着する面積を低減し、更に縦桟又は横桟により前記汚泥を剪断して、汚泥回収具の引き上げを容易にしたことによる効果である。
【００１８】
また、本発明の汚泥回収具は、上述のように方形上枠、方形下枠及び縦枠から箱体を構成することから、箱体全体の剛性を高めやすく、重量物となる汚泥の回収にも変形しない箱体にできる。これにより、残る通水性を必要とする底面は、例えば網体を張って通水性を確保する簡素な構成にすることができ、例えば天日乾燥床の濾過砂に対する汚水の排水を良好にできる。更に、開閉自在な開閉枠に網体を張って底面を構成し、前記開閉枠を開くことにより容易に固化した汚泥を容易に排出できるようにし、本発明の汚泥回収具を取り扱いしやすくする。
【００１９】
平板の外面を箱体の側面と面一にして、方形上枠、方形下枠、縦枠、縦桟又は横桟を構成することにより、例えば天日乾燥床の濾過砂上に敷き詰める汚泥回収具相互を密着させ、側面間の隙間をなくすことができる。特に、平板の外面を箱体の側面と面一にする縦桟は、汚泥を剪断しやすくする。また、例えば鉛直方向に対して斜行する縦桟を方形上枠及び方形下枠に架け渡したり、縦桟を平板から構成したり、前記平板の先端縁を側面と面一にして縁部を断面鋭角にしたりすることにより、更に汚泥を剪断しやすくする。これらから、本発明の汚泥回収具は、特に浄水場の天日乾燥床から固化された汚泥を回収する手段に適した構成となる。
【図面の簡単な説明】
【００２０】
【図１】本発明の一例である汚泥回収具を表した斜視図である。
【図２】吊り上げて、底面の開閉扉を開いた状態における本例の汚泥回収具を表した斜視図である。
【図３】本例の汚泥回収具を表した平面図である。
【図４】本例の汚泥回収具を表した側面図である。
【図５】本例の汚泥回収具における別例の底面を表した図１相当斜視図である。
【図６】本例の汚泥回収具における更に別例の底面を表した図１相当斜視図である。
【図７】本発明の別例である汚泥回収具を表した図１相当斜視図である。
【図８】本発明の更に別例である汚泥回収具を表した図１相当斜視図である。
【図９】本例の汚泥回収具を天日乾燥床の濾過砂の上に敷き詰めている段階を表した斜視図である。
【図１０】天日乾燥床の濾過砂の上に敷き詰めている段階を表した本例の汚泥回収具の断面図である。
【図１１】本例の汚泥回収具を天日乾燥床の濾過砂の上に敷き詰め終えた段階を表した図９相当斜視図である。
【図１２】天日乾燥床の濾過砂の上に敷き詰め終えた本例の汚泥回収具に汚水を投入する段階を表した図10相当断面図である。
【図１３】天日乾燥床の濾過砂の上に敷き詰めた本例の汚泥回収具内の汚泥を固化させた段階を表した図９相当斜視図である。
【図１４】固化した汚泥と共に本例の汚泥回収具を吊り上げている段階を表した図９相当斜視図である。
【図１５】固化した汚泥と共に吊り上げている本例の汚泥回収具を表した図10相当断面図である。
【図１６】開閉枠から楔を外す本例の汚泥回収具を表した図10相当断面図である。
【図１７】開閉枠を開いて汚泥を落下させている本例の汚泥回収具を表した図10相当断面図である。
【発明を実施するための形態】
【００２１】
本発明を実施するための形態について図を参照しながら説明する。本発明の汚泥回収具１は、例えば図１〜図４に見られるように、上面を開放し、側面及び底面が通水性を備えた箱体である。本例の汚泥回収具１は、金属製のアングル材からなる４本の縦枠４と、前記縦枠４それぞれの側縁上端間を４枚の金属板（平板）により平面視方形に結んで方形上枠２とし、同様に前記縦枠４それぞれの側縁下端間を４枚の金属板（平板）により平面視方形に結んで方形下枠４として、箱体を構成している。方形上枠２及び方形下枠３を構成する金属板は、幅を20mm〜80mm、厚みを３mm〜８mmにする。また、縦枠４を構成するアングル材は、各面の幅を20mm〜80mm、厚みを３mm〜８mmにする。アングル材に対する金属板の接続は、開先溶接が好ましい。本例は、方形上枠２の４ヶ所の角部（本例では縦枠４を構成するアングル材の上端面にあたる）それぞれに吊り輪21を設けてあり、クレーン（図示略、例えば図２中スリング８で表現）により汚泥回収具１を吊り上げて天日乾燥床７に搬入し、また汚泥91を回収する。
【００２２】
箱体の側面は、対向する方形上枠２及び方形下枠３の２辺に縦桟５を架け渡し、前記縦桟５間に形成される隙間52により通水性を確保している。縦桟５を構成する金属板（平板）は、幅を20mm〜100mm、厚みを３mm〜８mmとする。縦桟５を構成する金属板は、方形上枠２及び方形下枠３からはみ出さないように、前記方形上枠２及び方形下枠３を構成する金属板の厚み以下とする。そして、方形上枠２、方形下枠３及び縦枠４を構成する金属板を、いずれも外面を箱体の側面と面一にすると、汚泥回収具１はそれぞれの側面を密着させて並べる（後述する濾過砂711上に敷き詰める）ことができる。縦桟５の間隔は、前記幅の金属板を用いる場合、20mm〜100mmが適当である。縦桟５は、鉛直方向に対して30度斜行し、対向する方形上枠２及び方形下枠３の２辺に架け渡されている。特に、本例の縦桟５は、各側面において同方向に傾斜しているため、隣り合わせにした汚泥回収具１それぞれの対向する側面の縦桟５が交差する（後掲図10参照）。これにより、側面を密着させて敷き詰めた汚泥回収具１を引き上げると、密着する側面それぞれの縦桟５が鋏の刃のように交差して、汚泥91を剪断できる（後掲図14参照）。更に本例では、縦桟５を構成する金属板の縁部51を鋭角断面（図１中円形枠内参照）にし、前記縁部51の先端縁を側面と面一にして、縦桟５間の隙間に汚泥91が入り込まないようにして、縦桟５の交差による汚泥91の剪断を助けている。
【００２３】
本例の汚泥回収具１における底面は、ヒンジ32を介して方形下枠３に軸着され、下方に向けて観音扉風に開閉自在な一対の開閉枠31,31それぞれに金網（網体）313を張って通水性を確保している。本例の開閉扉31は、４本のアングル材の各面を水平方向及び鉛直方向にして平面視方形に組んだ枠体であり、水平方向の面の下面側に金網313を張っている。各開閉扉31,31は、対向する鉛直方向を向いた面に楔孔311,311（例えば図２中、図示の便宜上手前側の開閉扉31についてのみ図示）をそれぞれ設けてある。これにより、両開閉扉31,31は、両楔孔311,311にわたって楔312を打ち込んで閉鎖状態を維持し、固化した汚泥91を収納した汚泥回収具を引き上げて前記楔312を外すと、前記汚泥91の重みで押し開くことができる。
【００２４】
このほか、汚泥回収具１の底面は、例えば図５に見られるように、側面同様、開閉枠31,31それぞれに横桟33,33を架け渡して構成してもよい。横桟33を架け渡した開閉扉31から構成した底面は、上述した金網313を張った開閉扉31に比べて開口面積は少なくなるが、十分な通水性を確保できるし、開閉扉31自体の剛性を高めることができる。また、汚泥回収具１の底面は、図６に見られるように、方形下枠３に直接金網（網体）34を張って構成してもよい。この場合、引き上げた汚泥回収具１をひっくり返して、下方に向けた上面から固化した汚泥91を取り出すことになる。
【００２５】
本発明の汚泥回収具１は、方形上枠２、方形下枠３及び縦枠４から選択された２辺に架け渡す縦桟５により汚泥91相互が密着する面積を低減すると共に、前記縦桟５により汚泥91を剪断し、汚泥回収具１を引き上げやすくする。この汚泥91を剪断する働きは、例えば図７に見られるように、縦枠４間に横桟６を架け渡しても得られる。図７に見られる別例の汚泥回収具１は、縁部61を鋭角断面にした金属板からなる横桟６を縦枠４間に水平に架け渡し、各横桟６間の隙間62により側面の通水性を確保している。この別例の汚泥回収具１では、横桟６の最上段として、方形上枠２を兼ねた広幅の境界板63を配し、汚泥91相互が密着する面積を更に低減している。汚泥回収具１相互の汚水９（後掲図12参照）の流れ込みは、前記境界板63下方の横桟６間の隙間62により確保される。
【００２６】
更に、図８に見られるように、縦桟５及び横桟６を組み合わせて構成することもできる。図８に見られる更に別例の汚泥回収具１は、上述した縦桟５のみの例示（図１〜図４参照）に対し、前記縦桟５に直交する横桟６を各側面に２枚ずつ追加した構成で、汚泥91相互が密着する面積を低減すると共に、縦桟５及び横桟６を組み合わせることにより相互の剛性を高め、ひいては箱体全体の剛性を高めている。また、鉛直方向に対して斜行した縦桟６に横桟６を直交させて組み付けているため、横桟６も水平方向に対して斜行することになる。これにより、汚泥回収具１の引き上げにより、隣り合う側面それぞれの縦桟５及び横桟６がすべて汚泥91の剪断に貢献し、汚泥回収具１を引き上げやすくしている。
【００２７】
次に、本例の汚泥回収具１（図１〜図４参照）により、天日乾燥床７から汚泥91を回収する手順について説明する。汚泥回収具１は、まず図９に見られるように、天日乾燥床７の濾過層71を構成する濾過砂711上に敷き詰めていく（図９中一番手前側の汚泥回収具１のみ図示し、後は仮想線により枠のみ表示。以下、同様）。各汚泥回収具１は、スリング８のフック81を方形上枠２の吊り輪21に引っ掛けることにより（図２参照）、クレーン等で吊り下げて、天日乾燥床７に搬入する。濾過砂711上に載せた汚泥回収具１の位置は、汚泥回収具１を完全に濾過砂711上に降ろす前に、例えば濾過砂711上の作業員により微調整するとよい。汚泥回収具１を完全に濾過砂711上に降ろすと、開閉扉31を構成するアングル材の鉛直方向を向いた面が濾過砂711に噛み込み（図10及び図12参照）、汚泥回収具１の位置ずれが防止される。
【００２８】
汚泥回収具１は、隙間を残すことなく濾過砂711上に敷き詰めるため、方形上枠２及び方形下枠３を、天日乾燥床７の縦及び横を等分した平面視外形にするとよい。この場合、天日乾燥床７の縦又は横に対して端数が発生すれば、前記端数に応じた平面視外形の汚泥回収具１を構成するとよい。ここで、分割数を少なくとする必要な汚泥回収具１の数は減るものの、一度に回収する汚泥91が増え、クレーンによる汚泥回収具１の引き上げが難しくなる。これから、汚泥回収具１の平面視外形（方形上枠２及び方形下枠３の平面視形状）は、最大１ｍ角を目安にする。また、汚泥回収具１の深さ（縦枠４の長さに相当）は、天日乾燥床７に投入する汚水９の通常の水深に合わせる。これから、本例の汚泥回収具１は、10ｍ四方の天日乾燥床７に60cmの水深で汚水９を投入する場合を想定し、平面視外形を１ｍ角、深さを60cmとしている。
【００２９】
本例は、図11に見られるように、上述の大きさを有する汚泥回収具１を、10ｍ四方の天日乾燥床７に隙間なく計100基敷き詰める。このように、天日乾燥床７の濾過砂711上に汚泥回収具１を隙間なく敷き詰めると、天日乾燥床７は、各汚泥回収具１の側面により区画された外観を呈する。この汚泥回収具１の側面は、縦桟５が上下方向に架け渡されただけであり、深さ方向に延びる隙間52が設けられているので、投入される汚水９の水深が変化しても、全水深で通水性が確保されている。これから、本例のように天日乾燥床７全域に隙間なく汚泥回収具１が敷き詰められると、どこから汚水９を投入しても、図12に見られるように、各汚泥回収具１の側面を通じて全汚泥回収具１に汚水９が行き渡らせることができる。また、隙間なく敷き詰められた汚泥回収具１は、およそ水平方向に位置ずれする虞はなく、仮に位置ずれを許容する隙間が形成されても、図10及び図12に見られるように、開閉扉31を構成するアングル材の鉛直方向を向いた面が濾過砂711に噛み込むことから、汚水９に押されて位置ずれする虞はない。
【００３０】
天日乾燥により固化した汚泥91は、図13に見られるように、隙間52により連通した汚泥回収具１の側面を通じて全体が繋がった一体物になっており、各汚泥回収具１は、前記汚泥91内に方形下枠３、縦枠４及び縦桟５を埋没させた状態にある。この状態から、図14に見られるように、汚泥回収具１を個々に吊り上げると、図15（図示の便宜上、真ん中の吊り上げられた汚泥回収具１内の汚泥91の図示は省略している）に見られるように、側面を密着させた汚泥回収具１それぞれの前記各側面に架け渡された縦桟５が交差して汚泥91を剪断し、各汚泥回収具１それぞれに固化された汚泥91が切り分けられた格好で回収できる。１基でも汚泥回収具１を回収できれば、天日乾燥床７内に汚泥回収具１を傾ける空間ができることから、２基目以降の汚泥回収具１は、一旦傾けて縦桟５を交差させることにより、予め汚泥を剪断してから吊り上げることもできる。
【００３１】
吊り上げられた汚泥回収具１は、図16（図示の便宜上、吊り輪21に対するスリング８の図示を省略している）に見られるように、内部に固化された汚泥91を収納した格好になっている。本例の汚泥回収具１は、クレーンにより吊り下げた状態のまま、例えばダンプカーの荷台上方にまで汚泥回収具１を移動させ、開閉扉31,31を拘束する楔312をハンマーで叩いて外す（図16中矢印参照）ことにより、図17に見られるように、汚泥91が開閉扉31,31を押し開いて前記荷台に落下し、回収される。こうして汚泥91を回収させた汚泥回収具１は、再び開閉枠31,31を閉じて楔312を両楔孔311に差し込んで閉鎖状態を復元し、次回の汚泥回収や別の天日乾燥床からの汚泥回収に利用される。図示及び説明は省略するが、同様に、本発明の汚泥回収具１は、汚泥を含む汚水が発生する工事現場の汚水処理槽にも利用される。
【符号の説明】
【００３２】
１  汚泥回収具
２  方形上枠
３  方形下枠
31  開閉枠
33  横桟
34  金網
４  縦枠
５  縦桟
52  隙間
６  横桟
62  隙間
63  境界板
７  天日乾燥床
71  濾過層
72  排水層
８  スリング
９  汚水
91  汚泥
【図１】
2010188314.tif 000003
【図２】
2010188314.tif 000004
【図３】
2010188314.tif 000005
【図４】
2010188314.tif 000006
【図５】
2010188314.tif 000007
【図６】
2010188314.tif 000008
【図７】
2010188314.tif 000009
【図８】
2010188314.tif 000010
【図９】
2010188314.tif 000011
【図１０】
2010188314.tif 000012
【図１１】
2010188314.tif 000013
【図１２】
2010188314.tif 000014
【図１３】
2010188314.tif 000015
【図１４】
2010188314.tif 000016
【図１５】
2010188314.tif 000017
【図１６】
2010188314.tif 000018
【図１７】
2010188314.tif 000019